(57)【要約】      （修正有）【課題】バッテリ装置の監視線に用いられる溶接構造を提供する。【解決手段】バッテリ装置は、導電金属片１３と複数の電池セル１５を含み、各電池セルが当該導電金属片を介して直列又は並列に互いに接続される。溶接構造は少なくとも１つの溶接部１７を含む。溶接部は、導電金属片の一方の側に設けられるとともに、ベース１７１及び少なくとも１つの穿孔プレート１７３を有する。穿孔プレートは、ベースに垂直に設けられるとともに貫通孔１７２を有し、少なくとも１本の監視線１２が電池セルに電気的に接続される。監視線の一端は、穿孔プレートの貫通孔に挿通されてベースに溶接される。そのため、監視線の一端は、溶接部の穿孔プレートに挿通されることで線体が位置決めされる。且つ、監視線の一端を溶接部のベースに溶接する際、はんだは溶接部に取り囲まれるため落下が回避される。【選択図】図４
0003223585.tif 000002
【実用新案登録請求の範囲】
【請求項１】
バッテリ装置の監視線に用いられる溶接構造であって、
当該バッテリ装置は、ハウジングフレーム、導電金属片及び複数の電池セルを含み、当該導電金属片は当該ハウジングフレームに設けられ、各当該電池セルは、当該ハウジングフレームにそれぞれ配列されており、且つ、当該導電金属片を介して直列又は並列に互いに接続され、
当該溶接構造は、
当該導電金属片の一方の側に設けられるとともに、ベース及び少なくとも１つの穿孔プレートを有する少なくとも１つの溶接部を含み、当該穿孔プレートは、当該ベースの平面に垂直に設けられるとともに貫通孔を有し、少なくとも１本の監視線が当該電池セルに電気的に接続され、当該監視線の一端は、当該穿孔プレートの当該貫通孔に挿通されて当該ベースの平面に溶接される構造。
【請求項２】
当該穿孔プレートの設置方向と、挿通される当該監視線の整線設置方向との間には第１夾角が存在し、当該第１夾角は３０°〜６０°の間である請求項１に記載の溶接構造。
【請求項３】
当該第１夾角は４５°である請求項２に記載の溶接構造。
【請求項４】
当該ベースの左右両側に当該穿孔プレートがそれぞれ設けられ、当該監視線の一端は、当該ベースの右側における当該穿孔プレートに挿通されて当該ベースに溶接されるか、当該ベースの左側における当該穿孔プレートに挿通されて当該ベースに溶接される請求項３に記載の溶接構造。
【請求項５】
当該ベースの左右両側における当該穿孔プレートの間には第２夾角が存在し、当該第２夾角は９０°である請求項４に記載の溶接構造。
【請求項６】
当該監視線の線体は配線材料と心線を含み、当該配線材料が当該心線を被覆し、当該監視線の一端における当該配線材料と当該心線は共に当該貫通孔に挿通されて当該ベースに溶接される請求項１に記載の溶接構造。
【請求項７】
当該ハウジングフレームには少なくとも１つの留め部が設けられており、当該監視線の線体の一部が当該留め部に掛止される請求項１に記載の溶接構造。
【請求項８】
当該ハウジングフレームには少なくとも１つの凹溝部が設けられており、当該監視線の線体の他の部分が当該凹溝部に設置される請求項７に記載の溶接構造。
【請求項９】
当該貫通孔、当該留め部及び当該凹溝部は、互いに略直線方向に沿うようそれぞれ延設される請求項８に記載の溶接構造。
【考案の詳細な説明】
【技術分野】
【０００１】
本考案は溶接構造に関し、特に、バッテリ装置の監視線に用いられる溶接構造に関する。
【背景技術】
【０００２】
電池セルは電気エネルギーを蓄積する機能を有し、複数の電池セルを直列又は並列に接続することでバッテリ装置が構成される。バッテリ装置は機器の電気供給源となり得、例えば、電気自動車の電気供給源とされる。また、バッテリ装置には金属導電片が含まれ得る。金属導電片は各電池セルの電極端（正極端又は負極端）に接続され、各電池セルが金属導電片を介して直列又は並列に接続される。
【０００３】
更に、バッテリ装置は監視線に電気的に接続可能であり、例えば、バッテリ容量や電池セルの電圧・電位、又は充放電電流といったバッテリ装置の動作パラメータが監視線を通じて監視される。従来の監視線の心線は、大部分がバッテリ装置における金属導電片の平面に直接溶接されている。しかし、監視線の心線を金属導電片の平面に溶接すると、抜け落ちや断線により回路が短絡しやすく、且つ、溶接過程においてはんだが金属導電片の平面に度々落下するとの課題がある。
【考案の概要】
【考案が解決しようとする課題】
【０００４】
本考案の一の目的は、バッテリ装置が、ハウジングフレーム、導電金属片、複数の電池セル及び少なくとも１つの溶接部を含み、溶接部が、導電金属片の一方の側に設けられるとともにベース及び少なくとも１つの穿孔プレートを有し、監視線の一端が、穿孔プレートの貫通孔に挿通可能であり、はんだによりベースの平面に溶接されるバッテリ装置の監視線に用いられる溶接構造を提供することである。この場合、はんだは溶接部によって取り囲まれるため、監視線の端点を溶接する過程で、導電金属片、電池セル又はその他の部材にはんだが意図せず落下するとの事態が回避される。
【０００５】
本考案の他の目的は、監視線の線体が配線材料と心線を含み、監視線を溶接部に溶接しようとする場合に、監視線の一端における配線材料と心線を共に貫通孔に挿通し、溶接部の内部に進入させるバッテリ装置の監視線に用いられる溶接構造を提供することである。この場合、監視線の一端における線体が貫通孔によって完全に位置決めされるため、正確な溶接が可能となり、監視線の溶接強度が向上する。
【０００６】
本考案の更なる目的は、穿孔プレートの設置方向と、挿通される監視線の整線設置方向との間に適切な夾角が存在するバッテリ装置の監視線に用いられる溶接構造を提供することである。この場合、監視線の一端は特定の角度で穿孔プレートの貫通孔に挿通可能となるため、大きな角度で折れ曲がるとの事態が回避される。よって、監視線の心線が大きな曲げ応力を受けて断線する確率が低下する。
【課題を解決するための手段】
【０００７】
上記の目的を達成すべく、本考案は、バッテリ装置の監視線に用いられる溶接構造を提供する。バッテリ装置は、ハウジングフレーム、導電金属片及び複数の電池セルを含み、導電金属片はハウジングフレームに設けられ、各電池セルは、ハウジングフレームにそれぞれ配列されており、且つ、導電金属片を介して直列又は並列に互いに接続され、溶接構造は、導電金属片の一方の側に設けられるとともにベース及び少なくとも１つの穿孔プレートを有する少なくとも１つの溶接部を含み、穿孔プレートはベースの平面に垂直に設けられるとともに貫通孔を有し、少なくとも１本の監視線が電池セルに電気的に接続され、監視線の一端は、穿孔プレートの貫通孔に挿通されてベースの平面に溶接される。  
【０００８】
本考案の実施例において、穿孔プレートの設置方向と、挿通される監視線の整線設置方向との間には第１夾角が存在し、第１夾角は３０°〜６０°の間である。
【０００９】
本考案の実施例において、第１夾角は４５°である。
【００１０】
本考案の実施例において、ベースの左右両側に穿孔プレートがそれぞれ設けられ、監視線の一端は、ベースの右側における穿孔プレートに挿通されてベースに溶接されるか、ベースの左側における穿孔プレートに挿通されてベースに溶接される。
【００１１】
本考案の実施例において、ベースの左右両側における穿孔プレートの間には第２夾角が存在し、第２夾角は９０°である。
【００１２】
本考案の実施例において、監視線の線体は配線材料と心線を含み、配線材料が心線を被覆し、監視線の一端における配線材料と心線は共に貫通孔に挿通されてベースに溶接される。
【００１３】
本考案の実施例において、ハウジングフレームには少なくとも１つの留め部が設けられており、監視線の線体の一部が留め部に掛止される。
【００１４】
本考案の実施例において、ハウジングフレームには少なくとも１つの凹溝部が設けられており、監視線の線体の他の部分が凹溝部に設置される。
【００１５】
本考案の実施例において、貫通孔、留め部及び凹溝部は、互いに略直線方向に沿うようそれぞれ延設される。  
【図面の簡単な説明】
【００１６】
【図１】図１は、本考案における監視線が設けられていないバッテリ装置の構造斜視図である。
【図２】図２は、図１のＡ１領域の部分拡大図である。
【図３】図３は、本考案における監視線が設けられたバッテリ装置の構造斜視図である。
【図４】図４は、図３のＡ２領域の部分拡大図である。
【図５】図５は、図３のＡ２領域における溶接部に監視線が溶接された部分拡大図である。
【図６】図６は、本考案の溶接部の平面図である。
【考案を実施するための形態】
【００１７】
本考案における監視線が設けられていないバッテリ装置の構造斜視図である図１と、図１のＡ１領域の部分拡大図である図２と、本考案における監視線が設けられたバッテリ装置の構造斜視図である図３と、図３のＡ２領域の部分拡大図である図４を参照する。図１、図２、図３及び図４に示すように、本考案のバッテリ装置１００は、ハウジングフレーム１１、導電金属片１３、複数の電池セル１５及び少なくとも１つの溶接部１７を含む。導電金属片１３はハウジングフレーム１１に架設されている。各電池セル１５は、ハウジングフレーム１１にそれぞれ配列されており、且つ、導電金属片１３を介して直列又は並列に互いに接続されている。また、監視線１２は電池セル１５に電気的に接続されており（接続は図示していない）、例えば、バッテリ容量、電池セル１５の電圧・電位又は充放電電流といったバッテリ装置１００の動作パラメータが監視線１２を介して監視される。
【００１８】
溶接部１７は、導電金属片１３の一方の側に設けられるとともに、導電金属片１３に接続される。溶接部１７は、ベース１７１と、少なくとも１つの穿孔プレート１７３を含む。穿孔プレート１７３は、ベース１７１の平面に垂直に設けられるとともに、貫通孔１７２を含む。図４及び図５に示すように、監視線１２の一端は穿孔プレート１７３の貫通孔１７２に挿通可能であり、はんだ１４によりベース１７１の平面に溶接される。そのため、監視線１２の一端を溶接部１７のベース１７１に溶接する際、はんだ１４は溶接部１７に取り囲まれる。これにより、監視線の端点を溶接する過程で、導電金属片１３、電池セル１５又はその他の部材にはんだ１４が意図せず落下するとの事態が回避される。
【００１９】
また、更に図６を合わせて参照して、監視線１２の線体は配線材料１２１と心線１２３を含み、配線材料１２１が心線１２３を被覆している。監視線１２を溶接部１７に溶接しようとする場合には、監視線１２の一端における配線材料１２１と心線１２３を共に貫通孔１７２に挿通し、溶接部１７の内部に進入させる。その後、溶接作業を行うときに、監視線１２の一端における配線材料１２１と心線１２３を共にベース１７１の平面に溶接する。このように実施すれば、監視線１２の一端を貫通孔１７２に挿通する際に、当該一端の線体が貫通孔１７２によって完全に位置決めされるため、正確な溶接が可能となり、監視線１２の溶接強度が向上する。
【００２０】
また、本考案における穿孔プレート１７３の設置方向と、挿通される監視線１２の整線設置方向との間には第１夾角θ１が存在する。第１夾角θ１は、３０°〜６０°の間である。好ましくは、第１夾角θ１は４５°とする。そのため、監視線１２の一端は特定の角度で穿孔プレート１７３の貫通孔１７２に挿通され、大きな角度で折れ曲がるとの事態を回避可能である。よって、監視線１２の心線１２３が大きな曲げ応力を受けて断線する確率が低下する。
【００２１】
本考案の他の実施例において、溶接部１７は２つの穿孔プレート１７３を有し、２つの穿孔プレート１７３がそれぞれベース１７１の左右両側に設けられる。本考案の実施例において、２つの穿孔プレート１７３の間には第２夾角θ２が存在する。第２夾角θ２は９０°である。本考案の監視線１２の一端は、ベース１７１の右側における穿孔プレート１７３に挿通されてベース１７１に溶接可能とするか、ベース１７１の左側の穿孔プレート１７３に挿通されてベース１７１に溶接可能とする。そのため、本考案の監視線１２は、自身の設置方向に応じて適切な位置の穿孔プレート１７３を選択し、挿設可能なことから、複雑な配線が回避される。
【００２２】
本考案の実施例において、ハウジングフレーム１１には、少なくとも１つの留め部１１１と、少なくとも１つの凹溝部１１２，１１３がそれぞれ設けられている。監視線１２の線体の一部は留め部１１１に掛止されて固定される。且つ、線体の一部は凹溝部１１２，１１３に設置され、凹溝部１１２，１１３内で整線及び固定される。また、本考案の実施例において、監視線１２の線体がまっすぐに引っ張られて貫通孔１７２、留め部１１１及び凹溝部１１２，１１３に固定されるよう、貫通孔１７２、留め部１１１及び凹溝部１１２，１１３は、互いに略直線方向に沿うようそれぞれ延設される。
【００２３】
ここで、本考案のバッテリ装置１００は、溶接部１７、留め部１１１及び凹溝部１１２，１１３を設けることで、監視線１２の線体を例えば３つ以上の点というように複数の点で固定する。バッテリ装置１００をモバイルデバイスに応用する場合、監視線１２は、溶接部１７、留め部１１１及び凹溝部１１２，１１３により形成される複数の点で固定するとの効果を得られるため、モバイルデバイスの動作時のぐらつきによる監視線１２の抜け落ちや引っ張りによる断線の恐れを回避可能となる。このほか、本考案では、ハウジングフレーム１１及び導電金属片１３に固定部材（例えば、留め部１１１、凹溝部１１２，１１３及び溶接部１７）を直に設計している。そのため、製造者は監視線１２の固定作業を実施する際に部品を別途組み付けることなく、容易に監視線１２をバッテリ装置１００に固定することが可能である。よって、監視線１２の固定作業時間が短縮される。
【００２４】
なお、以上は本考案の好ましい実施例にすぎず、本考案の実施範囲を限定するものではない。本考案の請求の範囲に記載する形状、構造、特徴及び精神に基づく等価の変形又は補足は、いずれも本考案の請求の範囲に含まれる。
【符号の説明】
【００２５】
１００  バッテリ装置
１１    ハウジングフレーム
１１１  留め部
１１２  凹溝部
１１３  凹溝部
１２    監視線
１２１  配線材料
１２３  心線
１３    導電金属片
１４    はんだ
１５    電池セル
１７    溶接部
１７１  ベース
１７２  貫通孔
１７３  穿孔プレート
【図１】
0003223585.tif 000003
【図２】
0003223585.tif 000004
【図３】
0003223585.tif 000005
【図４】
0003223585.tif 000006
【図５】
0003223585.tif 000007
【図６】
0003223585.tif 000008